(57)【要約】【課題】  家屋のリフォームや、混合水栓の長期使用による老朽化、又は故障などにより、既存の混合水栓から新規の混合水栓に取り替える際に、壁面に配設されている給湯配管，給水配管との間のピッチと、混合水栓の湯入口，水入口との間のピッチが大きく異なっていても、互いのピッチの誤差を吸収して容易に取り付けることができ、しかも水栓本体をコンパクトに形成して、壁面から前方への突出量を少なくした混合水栓を提供する。【解決手段】  内部に湯入口３，水入口４が形成された水栓本体１ａと、該水栓本体１ａと壁面Ｗ又は床面に配設された給湯配管Ｈ，給水配管Ｃとを接続する連結管２５とを備えた混合水栓において、前記連結管２５は、水栓本体１ａの入口３，４に挿入される嵌合部２６と、配管Ｈ，Ｃに接続される接続部３３と、嵌合部２６と接続部３３とを結合する架橋部４０とから構成され、連結管２５を組付けた状態で、架橋部４０は嵌合部２６及び接続部３３の何れに対しても回転自在とした。【選択図】  図２
2005048530.tif 000002
【特許請求の範囲】
【請求項１】
内部に湯入口，水入口が形成された水栓本体と、該水栓本体と壁面又は床面に配設された給湯配管，給水配管とを接続する連結管とを備えた混合水栓において、前記連結管は、水栓本体の入口に挿入される嵌合部と、配管に接続される接続部と、嵌合部と接続部とを結合する架橋部とから構成され、架橋部は連結管を組み付けた状態で、嵌合部及び接続部の何れに対しても回転自在としたことを特徴とする混合水栓。
【発明の詳細な説明】
【技術分野】
【０００１】
本発明は、壁面や床面に配設された給湯配管，給水配管に接続される混合水栓に関するものである。
【背景技術】
【０００２】
従来、例えば浴室等には図７に示すように、壁面Ｗに配設された給湯配管Ｈ，給水配管Ｃの前方にクランク状の取付脚Ｂ，Ｂがそれぞれ接続され、この取付脚Ｂ，Ｂの他端に混合水栓Ａが取り付けられていた。この取付脚Ｂ，Ｂは給湯配管Ｈと給水配管Ｃとの左右の間隔に対し、混合水栓Ａの湯入口と水入口との左右の間隔に誤差が生じていても、この誤差を吸収して混合水栓Ａを配管に取り付けるものであるが、取付脚Ｂ，Ｂを使用することで混合水栓Ａの壁面から前方への突出量が大きくなり、浴室の空間を狭くしてしまうものであった。そこで、近年においては、取付脚を使用しないで直接壁面に取り付けることができる混合水栓、即ち、壁面から前方への突出量を少なくした混合水栓が普及しているが、このような混合水栓として公知のものに、特許文献１のものがある。
【０００３】
この特許文献１について、図８及び図９により簡単に説明すると、壁面６９に配設された湯用配管７１，水用配管７２と混合水栓５１の湯入口５２，水入口５３とを接続する湯用，水用の各連結管６４，６４ａと、この連結管６４，６４ａの外周に形成され、各配管７１，７２と接続される雄ねじ部６５，６５を挿通する開口孔５６を備えた第１プレート５５、及びこの開口孔５６と連通する開口孔６１を備えた第２プレート６０とから水栓固定具５４が構成され、この水栓固定具５４を壁面６９に取り付けた後、混合水栓５１を水栓固定具５４に装着して固定している。
【０００４】
前記水栓固定具５４を壁面６９に固定するには、図９に示すように、第１プレート５５に形成された各開口孔５６と第２プレート６０に形成された各開口孔６１とを重ね合わせ、湯用及び水用の各連結管６４，６４ａの雄ねじ部６５，６５を両プレート５５，６０の開口孔５６，６１に挿通させ、裏側に突出させる。そして、両プレート５５，６０の上下に穿設された各挿孔５９，６２に一方からビス６３を挿通し、他方からこのビス６３にナット（図示省略）を螺着して強固に固定し、両連結管６４，６４ａを壁面６９の壁孔７０に挿通して両プレート５５，６０を壁面６９に密接させる。その後、壁面６９の裏側で各連結管６４，６４ａを各配管７１，７２に接続して、固定ナット６８を各連結管６４，６４ａの雄ねじ部６５，６５に螺着することで、両プレート５５，６０は各連結管６４，６４ａのフランジ６６と固定ナット６８で挟持され、水栓固定具５４が壁面６９に固定される。この後、混合水栓５１を壁面６９に密着するように水栓固定具５４へ装着して、混合水栓５１と水栓固定具５４とをビス止めすることにより壁面６９に固定していた。
【０００５】
【特許文献１】特開平１１−２４７２４６号公報
【０００６】
このような混合水栓５１は、第１プレート５５の各開口孔５６に形成された平行部５７の間のピッチ５８が連結管６４，６４ａの回り止め部６７の外径より広いため、平行部５７のピッチ５８と回り止め部６７の外径の差の範囲内で、水用の連結管６４ａを左右へスライドさせることができ、例えば、給湯配管７１と給水配管７２との間のピッチと、湯用連結管６４と水用連結管６４ａとの間のピッチに誤差が生じている場合には、水用の連結管６４ａをスライドさせることで、この誤差を吸収することが可能であった。しかし、近年増加している家屋のリフォームや、混合水栓の長期使用による老朽化、又は故障などにより混合水栓を取り替える場合、図７に示すような既存の混合水栓からこの混合水栓５１へ取り替えるには、給湯配管７１と給水配管７２との間のピッチと、湯用連結管６４と水用連結管６４ａとの間のピッチの誤差が大きく異なるため、取り付けることができなかった。
【０００７】
また、図７に示すような取付脚を用いず、且つ、壁面に配設された両配管の間のピッチに合わせて、混合水栓と配管とを接続する連結管のピッチの調節を可能とした水栓として公知のものに、特許文献２のものがある。
【０００８】
この特許文献２について、図１０により簡単に説明すると、混合水栓８１を壁面９１に固定するには、壁面９１に配設された一対の配管９３，９３の端部の接続口９４，９４に対し、壁面９１の貫通孔９２，９２を通じて対応する一対の継手管８５，８５をねじ込接続しておく。そして、混合水栓８１に設けられた水用連結管８７を左右方向にスライド調節して、一対の連結管８６，８７のピッチを両配管９３，９３のピッチに合わせ、その状態で一対の連結管８６，８７を袋ナット８８，８８によって継手管８５，８５にねじ込接続するとともに、固定部材８９と止ねじ９０とによって水栓本体８２に固定していた。
【０００９】
【特許文献２】特開２００２−１１５２８７号公報
【００１０】
このような混合水栓８１では、水用連結管８７は水栓本体８２に形成された切欠部８３に装着され、且つ、水栓本体８２の嵌合孔８４内に壁面９１と平行方向、即ち左右方向にスライド可能に嵌合しているため、両配管９３，９３のピッチと両連結管８６，８７の間のピッチに大きな差が生じている場合には、水用連結管８７をスライドさせることで連結管８６，８７のピッチを調節可能としているが、この混合水栓８１は、水用連結管８７を左右にスライド自在に収容するための切欠部８３を水栓本体８２の左右方向で広い範囲に形成しなければならず、このため水栓本体８２を大型化する必要があり、混合水栓８１は壁面９１から前方への突出量が大きかった。従って、家屋のリフォームや、混合水栓の長期使用による老朽化、又は故障などにより混合水栓を取り替える場合、図７のような既存の混合水栓からこの混合水栓８１へ取り替えても、混合水栓の壁面から前方への突出量が大きく室内が有効に活用できなかった。
【発明の開示】
【発明が解決しようとする課題】
【００１１】
本発明は、このような従来の技術に存在する問題点に着目してなされたものであり、その課題は、家屋のリフォームや、混合水栓の長期使用による老朽化、又は故障などにより、既存の混合水栓から新規の混合水栓に取り替える際に、壁面に配設されている給湯配管，給水配管との間のピッチと、混合水栓の湯入口，水入口との間のピッチが大きく異なっていても、互いのピッチの誤差を吸収して容易に取り付けることができ、しかも水栓本体をコンパクトに形成して、壁面から前方への突出量を少なくした混合水栓を提供するものである。
【課題を解決するための手段】
【００１２】
本発明は、内部に湯入口，水入口が形成された水栓本体と、該水栓本体と壁面又は床面に配設された給湯配管，給水配管とを接続する連結管とを備えた混合水栓において、前記連結管は、水栓本体の入口に挿入される嵌合部と、配管に接続される接続部と、嵌合部と接続部とを結合する架橋部とから構成され、架橋部は連結管を組み付けた状態で、嵌合部及び接続部の何れに対しても回転自在としたものである。
【発明の効果】
【００１３】
本発明は、内部に湯入口，水入口が形成された水栓本体と、該水栓本体と壁面又は床面に配設された給湯配管，給水配管とを接続する連結管とを備えた混合水栓において、前記連結管は、水栓本体の入口に挿入される嵌合部と、配管に接続される接続部と、嵌合部と接続部とを結合する架橋部とから構成され、連結管を組付けた状態で、架橋部は嵌合部及び接続部の何れに対しても回転自在としたので、既存の混合水栓から新規の混合水栓に取り替える際に、現場により給湯配管と給水配管との間のピッチと、混合水栓の湯入口と水入口との間のピッチが大きく異なっていても、連結管を回転させることで容易に取り付けることができる。また、従来の混合水栓と比較するとコンパクトに形成することができ、壁面からの突出量が少なく、室内を有効に使用することができる。
【発明を実施するための最良の形態】
【００１４】
以下、本発明の実施の形態を図に基づいて詳細に説明する。
【実施例１】
【００１５】
図１乃至図３に示すように、本発明の混合水栓１は、壁面Ｗに固定される一対の連結管２５，２５と、該連結管２５，２５により壁面Ｗに装着される水栓本体１ａとを備え、互いに重なり合う２枚のプレート１０，１９からなる固定部材９に、一対の連結管２５，２５と水栓本体１ａとが固定されるものである。
【００１６】
前記第１プレート１０は薄肉の金属板材で、壁面Ｗに向かい合う横長の垂直部１１と、該垂直部１１の左右両端より前方に折曲し、先端付近にはビス孔１８，１８が形成された支持部１７，１７を有している。前記垂直部１１には連結管２５を挿通可能な第１開口孔１２と第２開口孔１３と第３開口孔１４とが左右方向に等間隔で開設され、各開口孔１２，１３，１４はいずれも上部に平行部１５を有した略円形である。また、垂直部１１にはビス４６が挿通する挿孔１６を複数個（図面中、下方に等ピッチで３個、上方に２個）穿設している。
【００１７】
前記第２プレート１９は、前記第１プレート１０と同じく薄肉の金属板材で横長に形成され、第１プレート１０と重ね合わせた時に各開口孔１２，１３，１４と向かい合う第４開口孔２０と第５開口孔２１と第６開口孔２２とが開設され、該各開口孔２０，２１，２２は前記第１プレート１０の開口孔１２，１３，１４と形状は同一であるが、上下を逆さまにして平行部２３を下部に有している。また、第２プレート１９は第１プレート１０と重ねあわせた際に、各挿孔１６と同位置になるように挿孔２４を複数個（図面中、下方に等ピッチで３個、上方に２個）穿設している。
【００１８】
前記混合水栓１の水栓本体１ａは、背面内部に一対の連結管２５，２５をそれぞれ接続するための湯入口３及び水入口４が左右両端に形成され、中央下方には混合された湯水を吐出する吐水管５と、シャワーヘッド（図示省略）に連通するホース７とが取り付けられ、左右両端には湯水の温度と流量とを調節するハンドル６，６ａがそれぞれ取り付けられている。また、水栓本体１ａの左右両側面には、各ハンドル６，６ａと併設して前記第１プレート１０の支持部１７，１７に設けたビス孔１８，１８と連通するビス孔２，２を設けている。
【００１９】
前記連結管２５は図３乃至図６に示すように、水栓本体１ａの湯入口３又は水入口４に挿入される略円筒形の嵌合部２６と、該嵌合部２６より大径で、壁面Ｗに配設された給湯配管Ｈ又は給水配管Ｃに接続される略円筒形の接続部３３と、該接続部３３と嵌合部２６を繋ぐ架橋部４０とから構成され、それぞれ別体に形成されている。
【００２０】
前記嵌合部２６は略円筒形で、一端の外周に一対の第１環状溝２７，２７がそれぞれ形成され、他端の外周には第２環状溝２７ａと、異なる形状の第３環状溝２７ｂとがそれぞれ形成され、前記第１環状溝２７，２７及び第２環状溝２７ａにはＯリング等のシール部材２８，２８ａが、残りの第３環状溝２７ｂには環状のリング３１が装着されている。また、第１環状溝２７と第３環状溝２７ｂとの間には、嵌合部２６より小径で両プレート１０，１９の平行部１５，２３を上下に有した切欠２９及び第２プレート１９の開口孔２０，２１，２２より大径で、開口孔２０，２１，２２の周縁に当接するフランジ３０が形成されている。
【００２１】
前記リング３１は環状で、その外周は嵌合部２６の外周より大径に形成されている。また、このリング３１にはスリット３２が形成されており、内径方向及び外径方向に縮拡可能としている。
【００２２】
前記接続部３３は略円筒形で、一端側の外周には環状溝３４，３４ａが形成され、一方の環状溝３４にはＯリング等のシール部材３５が、他方の環状溝３４ａには環状のリング３８が装着されている。また、接続部３３の他端側の外周には壁面Ｗ配設された給湯配管Ｈ又は給水配管Ｃの各雄ねじ部Ｈａ，Ｃａに接続するための雄ねじ部３６が形成されており、該雄ねじ部３６と環状溝３４ａとの間には、架橋部４０の挿入口４４の周縁に当接するフランジ３７が形成されている。
【００２３】
前記リング３８は環状で、その外周は接続部３３の外周より大径に形成されている。また、このリング３８にはスリット３９が形成されており、内径方向及び外径方向に縮拡可能としている。
【００２４】
前記架橋部４０は長方形の箱型で、その奥行き４１（壁面からの突出量）は嵌合部２６の環状溝２７ａ，２７ｂ又は接続部３３の環状溝３４，３４ａが挿入できる程度で、図７に示すような取付脚Ｂと比較すると短く形成されている。架橋部４０は一方の側面の端部には前記嵌合部２６と同径の第１挿入口４２が、他方の側面で第１挿入口４２との対角線上の位置には、接続部３３と同径の第２挿入口４４が形成されている。なお、第１挿入口４２の内周には、第１挿入口４２より大径で、前記リング３１が係合可能な環状溝４３が形成されている。また、第１挿入口４２と同様に第２挿入口４４の内周には、第２挿入口４４より大径で、前記リング３８が係合可能な環状溝４５が形成されている。
【００２５】
連結管２５は、接続部３３の環状溝３４，３４ａを架橋部４０の第２挿入口４４に挿入して、接続部３３と架橋部４０とを水密的に結合し、嵌合部２６の切欠２９側の環状溝２７ａ，２７ｂを架橋部４０の第１挿入口４２に挿入して、嵌合部２６と架橋部４０とを水密的に結合すると、図２に示すように、全体として嵌合部２６と接続部３３とが偏心したクランク形状を形成する。
【００２６】
家屋のリフォームや、混合水栓の長期使用による老朽化、又は故障などにより、図７に示すような既存の混合水栓Ａからこの混合水栓１に取り替える際には、まず既存の混合水栓Ａを取付脚Ｂから取り外し、取付脚Ｂを給湯配管Ｈ，給水配管Ｃから取り外す。
【００２７】
混合水栓１を壁面Ｗに取り付けるには、図４に示すように、固定部材９の第１プレート１０と第２プレート１９を、第１開口孔１２と第４開口孔２０，第２開口孔１３と第５開口孔２１，及び第３開口孔１４と第６開口孔２２がそれぞれ連通するように重ね合わせ、連結管２５の嵌合部２６の環状溝２７ａ，２７ｂを第４開口孔２０から第１開口孔１２に、第６開口孔２２から第３開口孔１４にそれぞれフランジ３０が第２プレート１９の開口孔２０，２２周縁に当接するまで挿通する。この時、嵌合部２６の切欠２９は両プレート１０，１９の平行部１５，２３で挟持され、固定部材９と嵌合部２６は回転不能に固定される。
【００２８】
次に、図５に示すように、各接続部３３の雄ねじ部３６を壁面Ｗに配設された給湯配管Ｈ，給水配管Ｃの雌ねじ部Ｈａ，Ｃａに螺合した後、接続部３３の環状溝３４，３４ａを架橋部４０の第２挿入口４４に挿入する。この時、接続部３３の環状溝３４ａに装着されているリング３８は第２挿入口４４の内壁に押圧されて縮径する。そして、接続部３３をさらに挿入していき、リング３８が架橋部４０の環状溝４５の位置に達すると、接続部３３のリング３８が拡開して架橋部４０の環状溝４５に係合する。これにより、接続部３３と架橋部４０とは水密的に結合し、且つ、架橋部４０は接続部３３に対して容易に回転させることができる。
【００２９】
続いて、架橋部４０の第１挿入口４２の中心と、固定部材９に固定された嵌合部２６の中心が一致するように架橋部４０を回転させ、嵌合部２６の環状溝２７ａ，２７ｂを架橋部４０の第１挿入口４２に挿入する。この時、嵌合部２６の環状溝２７ｂに装着されているリング３１は第１挿入口４２の内壁に押圧されて縮径する。そして、嵌合部２６をさらに挿入していき、リング３１が架橋部４０の環状溝４３の位置に達すると、嵌合部２６のリング３１が拡開して架橋部４０の環状溝４３に係合する。これにより、嵌合部２６と架橋部４０とは水密適に結合する。
【００３０】
そして、混合水栓１が固定部材９を覆うように、また、嵌合部２６の環状溝２７が水栓本体１ａの湯入口３及び水入口４と水密的に結合するように混合水栓１を装着し、混合水栓１の左右両側方からビス８を混合水栓１のビス孔２から第１プレート１０のビス孔１８に挿入してドライバー等の工具で締め付ければ、混合水栓１を壁面Ｗに固定することができる。
【００３１】
以上のように、家屋のリフォームや、混合水栓の長期使用による老朽化、又は故障などにより、既存の混合水栓から新規の混合水栓に取り替える際に、現場により給湯配管と給水配管との間のピッチと、混合水栓の湯入口と水入口との間のピッチが大きく異なっていても、連結管を回転させることで容易に対応することができる。また、従来の混合水栓と比較すると、壁面からの突出量が少なく、室内を有効に活用することができる。
【産業上の利用可能性】
【００３２】
本発明の活用例として、例えば、混合水栓はカウンター等の床面に取り付けられるものや、シングルレバー式，２ハンドル式，カバーを用いて水栓全体又は水栓本体と連結管の全体を覆うカバー式のものでもよい。
【図面の簡単な説明】
【００３３】
【図１】混合水栓を壁面に取り付けた状態の斜視図である。
【図２】混合水栓を壁面に取り付けた状態の一部断面図である。
【図３】混合水栓の分解斜視図である。
【図４】連結管の嵌合部を固定部材に結合した状態の斜視図である。
【図５】連結管の嵌合部を架橋部に結合する状態の斜視図である。
【図６】連結管の分解斜視図である。
【図７】取付脚を使用した既存の混合水栓の説明図である。
【図８】従来技術の説明図で、取付脚を使用しないで、壁面から前方への突出量を少なくした混合水栓の分解斜視図である。
【図９】図８において、混合水栓を壁面に取り付ける状態の説明図である。
【図１０】従来技術の別の説明図で、取付脚を使用しないで、且つ、配管のピッチに合わせて混合水栓と配管とを接続する連結管のピッチの調節を可能とした水栓である。
【符号の説明】
【００３４】
１：混合水栓
１ａ：水栓本体
３：湯入口
４：水入口
２５：連結管
２６：嵌合部
３３：接続部
４０：架橋部
Ｗ：壁面
Ｈ：給湯配管
Ｃ：給水配管
【図１】
2005048530.tif 000003
【図２】
2005048530.tif 000004
【図３】
2005048530.tif 000005
【図４】
2005048530.tif 000006
【図５】
2005048530.tif 000007
【図６】
2005048530.tif 000008
【図７】
2005048530.tif 000009
【図８】
2005048530.tif 000010
【図９】
2005048530.tif 000011
【図１０】
2005048530.tif 000012